(57)【特許請求の範囲】
【請求項１】
固定円筒状外容器（１６）に回転軸（１４）を介して駆動モ−タ−（１７）を取付け、前記円筒状外容器（１６）の内部に脱着自在とする円筒状内容器（６）を内蔵させると共に、前記円筒状内容器（６）に設けたかく拌羽根（１５）を前記回転軸（１４）と結合させて装着し、前記円筒状内容器（６）の上面部に蓋（１８）を取付け、その蓋（１８）の裏下部より熱源処理手段とし、前記円筒状内外容器（６，１６）を流し台天板４の面から垂下させて前記円筒状内外容器（６，１６）の一方外周囲を天板４面方向に張り出し突設させ他一方の外周囲を流し台シンク（１）の内壁面（５）とする凹壁面（１０，１１）と凸壁面（１２）でウェ−ブ状を形成して突設部（１３）として覆い、流し台シンク（１）のコ−ナ−部（２）に突出張り出させて天板（４）面と蓋（１８）の面をフラット状にして設置することを特徴とする厨芥処理容器付き流し台シンク。
【発明の詳細な説明】
【技術分野】
【０００１】  本発明は、生ゴミ等の厨芥を熱源処理するための生ゴミ入れ容器を、流し台のシンクと一体化手段とした厨芥処理容器付きの流し台に関するものである。
【背景技術】
【０００２】  従来、厨芥処理装置として、シンクの底部にゴミ投入口を設け、その下方部の流し台収納庫の内部に厨芥収納容器を加熱乾燥処理装置として、引き出し式により収納されているものがあった。
（例えば特許文献１参照）
また、流し台のシンクコーナー部に突出部を形成してゴミ収納部を設けたものもあり、これらは熱源処理するものではなく単に一時的に生ゴミを保管するものであった。
（例えば特許文献２参照）
そして、流し台の天板面に、熱源処理として外容器の内部に内容器を内蔵させたものもあった。
（例えば非特許文献１参照）【０００３】
【特許文献１】  特開平８−５２３８号公報
【特許文献２】  特開平５−１４８８７７号公報
【非特許文献１】  出願番号特願２００２−３４４６４１号
発明者  阿部猛による請求項４及び図３記載
【発明の開示】
【発明者が解決しようとする課題】
【０００４】  従来の流し台に設置された生ゴミ処理機にあっては、厨芥収納容器が流し台の収納庫から引き出し式によって出し入れされるため、不便でしかも収納庫の内部が狭くなるという問題点があった。そして、構造も複雑でコスト高となり実用化しにくかった。
また、流し台水槽シンクのコーナー部に水槽内側へ突出する突出部を形成し、この突出部の上面にはゴミ投入口を設けるとともに、そのゴミ投入口の下方にゴミ収納部を設けたものでこれらの方法は、熱源処理を利用とせず単に生ゴミを一時的に保管するものであり利用価値がなかった。
そして、流し台の天板面に熱源処理とする内外容器を用いたものは、シンクから離れているため生ゴミや水滴が落ちて不便な上、しかも天板面が狭くなり、ゴミ投入部が調理時邪魔であったり、また投入口周囲にゴミや水が浸入し水はけが悪く拭き掃除が非常に大変であった。
【０００５】  本発明は、流し台の天板面やシンク面に厨芥処理とする容器、蓋等を取付けても天板やシンクの面積を小さくすることなく有効に活用でき、投入容器付近も掃除しやすく調理時においてもスムーズに利用可能となり、シンク下部の収納庫も有効活用可能とする生ゴミ処理機を目的としている。
【０００６】  上記の目的を達成するためには、熱風乾燥式や熱源を加えるバイオ式生ゴミ処理装置において、これらの処理装置の配設位置は、流し台シンクコーナー部の内壁面とその付近の天板に張り出させてまたがり、円筒状内外二重容器（内容器は脱着式）を配設する手段とする。
手段としては、固定円筒状外容器の底部を貫通させた回転軸を取付け、それらを回動させるための駆動モーターを接続し、前記円筒状外容器の内部に出し入れ可能とした脱着自在の円筒状内容器を内蔵させて円筒状内容器の中に取付けたかく拌羽と前記回転軸をかみ合せて装着し、前記内外各容器の上部に蓋を取付け、前記内外各容器の一方とする一部外周囲を天板面方向に突設させ他一方の外周囲部分をシンクの内壁面とする円状のアール状凹壁面と凸壁面を形成して突設部を形成して覆い、シンク左右何れかのコーナー部に突設張り出させる方法とする。
【０００７】  前記内外各容器の大きさは、直径２５ｍｍ前後の円状とする大きさが最適であるためこれらの大きさを必要とする内外容器を仮にシンクコーナー部のシンク内部に装着しようとしてもシンクが小さくなったり、天板のみに装着するにおいても天板が狭く支障があるため、直径２５ｍｍ前後の円状の内外容器は、一方の外周囲を天板側と他一方周囲をシンク側にまたがり装着することによって問題を解決する手段とする。
【０００８】上記の円筒状内外容器を取付ける位置は、シンクの四隅コーナー部中、左右何れかの奥部コーナーが最適であり、コーナー部に形成した突設部をウエーブ状の凹凸壁面形成シンクにして、拭き掃除を容易にする。
そして天板側に張り出し突設して取付けた容器の周囲を立ち上り凸面と水切り凹面溝形状として、水等が直接内容器に浸入しないように、シンク側に水切りフラット面を設けて水切れを良くするとともにゴミ等の拭き掃除を容易にする。
【０００９】  また、天板面側に張り出し突設した外容器と蓋は、天板の上面以下にフラット状にすることにより調理時まな板を置いても支障ないようにする。
蓋の内部にモーターファン等を内蔵させることもあるためその時の蓋形状は蓋面を一部分のみバッグガード側に隆起状として突起させ、蓋面の突起を半分以下にするのが好ましい。
【００１０】  投入口蓋には、開閉を容易にするため開閉ハンドルを取付け、そのハンドルは天板の上面より低い位置に取付けて天板上面をフラット状にして、天板に物を置いても支障ないようにする。
【発明の効果】
【００１１】  本発明は以下に記載されるような効果を奏する。
円筒状内外容器を天板方向とシンクコーナー部に互いに張り出させて突設部を形成して装着するため天板やシンクの面積を小さくすることなく有効に活用でき生ゴミをスムーズに投入することができる。
【００１２】  そして円筒状内容器の入口周囲に立ち上り凸面と水切り凹面溝を形成し、シンク側に水切りフラット面を設けているため水やゴミはけが良く拭き掃除が容易となる。
【００１３】  投入口蓋が天板面より突設していないため天板面での調理面積が広く有効活用可能となる。
また投入口蓋に開閉ハンドルが取付けられているため開閉しやすく、そのハンドルは天板面より突設していないため天板面に支障がなく、シンク側にハンドルを突設させているので容易に操作しやすい。
【００１４】  熱源処理装置として利用される円筒状内外容器は、熱風乾燥式やバイオ分解処理としてともに兼用することが可能で便利であり、内容器の処理残滓も脱着式円筒状内容器であるため取り出しが簡単である。
従来の三角シンクコーナー部に生ゴミ入れ容器を置いてためておく必要がなくなるため、臭いも発生せず、その度熱源処理することにより環境衛生にも役立つものである。
【発明を実施するための最良の形態】
【００１５】  従来品よりもコストダウンが可能となり、問題点も解決し実用化が可能となった為、実施例に基づいて説明する。
【実施例１】
【００１６】  図１は、実施例１を示す平面図で、図５は実施例１の使用状態を示す斜視図で、これらの図に基づいて説明するとシンク１の奥行コーナー部２の部分に、流し台３の天板４と内壁面５に張り出しまたがる状態としてゴミ投入容器である円筒状内容器６を装着する。
円筒状内容器６の外周囲は、水等の浸入を防止する立ち上り凸面７を設け、それら一方の外周囲をゴミや水切りを良くするための水切り凹面溝８とした形状方法とし、シンク１側の突設部１３上面は平にして水切れを良くするためのフラット面９とする。
コーナー部２側は、円筒状内容器６の一方外周部分をシンク１の内壁面５である円状のアール状凹壁面１０とアール状凹壁面１１、アール状凸壁面１２としてウエーブ状形状内壁面の突設部１３形成方法とする。
尚、アール状凹壁面１０、１１の円状大きさは、直径５ｍｍ以上の半円状形成すれば良く、大きいほど拭き掃除が容易である。
装着される円筒状内容器６はシンク１の四方コーナー部中、奥行方向の左右何れかのコーナー部に設置するのが好ましく任意である。
円筒状内容器６の底部には、回転軸１４を介して生ゴミをかく拌するかく拌羽根１５を取付け、前記円筒状内容器６の外周囲は下記図２で示す円筒状外容器１６で覆われている。【００１７】  図２は、上記実施例１で示した図１の側面断面図Ａ−Ａである。
円筒状外容器１６は、天板４とシンク１の裏側に固着され、底部に回転軸１４を介して駆動モーター１７を接続し、前記円筒状外容器１６の内部には脱着自在とする円筒状内容器６が内蔵され、かく拌羽根１５を回転軸１４にかみ合せ接続されている。
各容器６、１６の上部面には、開閉蓋１８を取付け、蓋１８の内部にヒーター１９と送風ファン２０等を内蔵し生ゴミ熱源処理する。まだ、熱源処理方法としては他に蓋１８に内蔵せず、外容器１６の外面に設けることも可能である。
蓋１８は、天板４面より以下に取付ける方法が好ましく、しかし場合によっては、一部分の蓋上面をバッグガード２９側方向に隆起させ、その内部にファン２０等を内蔵しても用を成すものである。
容器の周囲に立ち上り凸面７と水切り凹面溝８を設け、シンク１側をフラット面９を形成しているためゴミや水等の掃き出しが容易である。
尚、内外容器６、１６の外周囲部分の立ち上り凸面７は、必要としない場合は立ち上り凸面形状を除きフラット状にして蓋裏に気密パッキン２１を設けても良い。【００１８】  投入口蓋１８には、開閉ハンドル２２を取付け、そのハンドル２２は、天板４及び蓋上面から突設しないように側面に固着しハンドル２２をシンク１側に突設させ、ロック受２３を取付け密閉させる。
そして、内外容器６、１６の部分に臭気の排出装置として、排気口管２４を排気ファン２５に接続して、トラップ２６下方部に接続したＹ状の経違い継手管２７と排出管２８の方向へ臭気等を排出させる手段とする。
【実施例２】
【００１９】  図３は、実施例２を示す平面図で、シンク１の奥行コーナー部２の部分に、円筒状内容器６を天板４と内壁面５とに張り出しまたがらせて装着したものであるが、これらは、凹壁面１０とバッグガード２９方向の凹壁面１１を平らな直線上とする凸壁面１２の突設部１３とした形状方法とする。
脱着式円筒状内容器６の外周囲は、立ち上り凸面７と水切り凹面溝８、シンク１側をフラット面９形状とされている。
【実施例３】
【００２０】  図４は、実施例３を示す平面図で、シンク１の奥行コーナー部２のバッグガード２９方向と天板４の上面に脱着式円筒状内容器６を装着した方法である。
この方法は、上記実施例１、２で示した突設部１３を必要としない場合で、コーナー部２は従来の形状方法とし、そのコーナー部２及びバッグガード２９に隣接させて円筒状内容器６を天板４面に取付け、円筒状内容器６の周囲は、立ち上り凸面７と水切り凹面溝８、シンク１側の内壁面５のコーナー部上面をフラット面９の形状方法とした。
このような方法で設置した円筒状内容器６には、実施例１で説明した円筒状外容器１６で覆い（図２参照）、それらの内外容器６、１６の上面に開閉蓋１８を取付け、更に開閉ハンドル２２を取付けられる構造としているものである。
そして、円筒状内容器６の外周囲に設けた立ち上り凸面７は必ずしも必要とせず、不用時取り除いて平らなフラット形状も可能でそれらの周囲をＬ状の水切り凹面溝８のみとして利用しその場合の蓋１８の裏側に気密パッキン２１（図２参照）を取り付けることによって密閉保持が可能となる。【００２１】  実施例で示した円筒状内容器６及び、円筒状外容器１６の形状は、円筒状が好ましいが、必ずしもそうとは限らず他に、略四角状、略玉子状等の形状でも用を成すものである。
【産業上の利用可能性】
【００２２】  本発明は、環境保護の対策、ゴミ有料化に伴う対策、リサイクルの適応品として産業上利用の拡大がより一層見込まれる。
【図面の簡単な説明】
【００２３】
【図１】  熱源厨芥処理容器の配設方法を示す平面図である（実施例１）
【図２】  図１のＡ−Ａ側面断面図である。（実施例１）
【図３】  熱源厨芥処理容器の配設方法を示す平面図である（実施例２）
【図４】  熱源厨芥処理容器の配設方法を示す平面図である（実施例３）
【図５】  実施例１の使用状態を示す斜視図である
【符号の説明】
【００２４】１．  シンク
２．  コーナー部
３．  流し台
４．  天板
５．  内壁面
６．  円筒状内容器
７．  立ち上り凸面
８．  水切り凹面溝
９．  フラット面
１０．凹壁面
１１．凹壁面
１２．凸壁面
１３．突設部
１４．回転軸
１５．かく拌羽根
１６．円筒状外容器
１７．駆動モーター
１８．蓋
１９．ヒーター
２０．送風ファン
２１．気密パッキン
２２．開閉ハンドル
２３．ロック受け
２４．排気口管
２５．排気ファン
２６．トラップ
２７．経違い継手管
２８．排出管
２９．バッグガード
【図１】
0003676796.tif 000002
【図２】
0003676796.tif 000003
【図３】
0003676796.tif 000004
【図４】
0003676796.tif 000005
【図５】
0003676796.tif 000006